(57)【要約】      （修正有）【課題】ＬＥＤモジュールが互いに向けて傾斜するように配置して集光効果を形成しＬＥＤ照明装置の照度を高めた、スポットライト用ＬＥＤ照明装置を提供する。【解決手段】第１座体１０、少なくとも一組の第１固定部品２０、少なくとも一組のＬＥＤモジュール３０、及び第２座体４０を包含し、少なくとも一組のＬＥＤモジュールの両端が第１座体１０と第２座体４０に固定され、並びにＬＥＤモジュール３０が互いに向けて傾斜するように配置され、これによりスポットライト用ＬＥＤ照明装置の照度をアップする効果を達成する。【選択図】図１
0003157521.tif 000002
【実用新案登録請求の範囲】
【請求項１】
外部装置に固定されて用いられるスポットライト用ＬＥＤ照明装置において、
該外部装置への固定に用いられ、少なくとも一組の第１固定部を具えた第１座体と、
該第１座体の該第１固定部に固定されて二つの互いに対向するよう配置された傾斜面を具えた少なくとも一組の第１固定部品と、
少なくとも一組のＬＥＤモジュールであって、各組のＬＥＤモジュールは二つのＬＥＤランプを具え、各ＬＥＤランプが第１端と第２端を具え、該二つのＬＥＤランプの該第１端がそれぞれ該第１固定部品の二つの傾斜面に設置される少なくとも一組のＬＥＤモジュールと、
該ＬＥＤモジュールの二つのＬＥＤランプの第２端を固定するための少なくとも一つの第２固定部が設けられた第２座体と、
を包含したことを特徴とする、スポットライト用ＬＥＤ照明装置。
【請求項２】
請求項１記載のスポットライト用ＬＥＤ照明装置において、該第１座体と該少なくとも一組の第１固定部品が一体成形で形成されていることを特徴とする、スポットライト用ＬＥＤ照明装置。
【請求項３】
請求項１記載のスポットライト用ＬＥＤ照明装置において、少なくとも一組の第２固定部品をさらに包含し、該第２固定部品は該第２座体の第２固定部に固定され、且つ二つの互いに対向するよう配置された傾斜面を有し、該ＬＥＤモジュールの二つのＬＥＤランプの第２端がそれぞれ該第２固定部品の二つの傾斜面に設置されたことを特徴とする、スポットライト用ＬＥＤ照明装置。
【請求項４】
請求項３記載のスポットライト用ＬＥＤ照明装置において、該少なくとも一組の第２固定部品と該第２座体が一体成形で形成されていることを特徴とする、スポットライト用ＬＥＤ照明装置。
【請求項５】
請求項１記載のスポットライト用ＬＥＤ照明装置において、該第１座体に連接部が形成されて該外部装置への固定に用いられることを特徴とする、スポットライト用ＬＥＤ照明装置。
【請求項６】
請求項５記載のスポットライト用ＬＥＤ照明装置において、該連接部に貫通孔が設けられ、該ＬＥＤモジュールは該貫通孔により該外部装置と電気的接続を形成することを特徴とする、スポットライト用ＬＥＤ照明装置。
【考案の詳細な説明】
【技術分野】
【０００１】
本考案は一種のＬＥＤ照明装置に係り、特に、ＬＥＤモジュールが互いに向けて傾斜するように配置されることで、ＬＥＤ照明装置の照度が高められた、ダブルＬＥＤモジュール式照明装置に関する。
【背景技術】
【０００２】
日常生活において、照明設備は不可欠の生活用品であり、人々の生活方式を変えてきた。現在、一般家庭及び屋内の公共の場所で、各種の照明装置、例えば、蛍光灯、照明用ライト、テーブルランプ、ペンダントライト、ネオンライト等が使用され、暗さのもたらす不便を改善する。
【０００３】
照明装置が異なれば、その用途もまた異なり、例えば、一般の蛍光灯、照明用ライト、テーブルランプ等は、一般照明用途に使用されるが、特殊用途の照明装置もあり、例えばナイトランプは人々の睡眠時に照明を提供し、その発光パワーは比較的低く、補助的に用いられるだけである。
【０００４】
上述の照明装置の大半は、早期の白熱電球或いは蛍光灯管を発光光源としているが、ＬＥＤの急速な発展と、ＬＥＤの消費電力が少なく、素子寿命が長く、ウォーミングアップ時間が不要で、反応速度が速い等の長所、及び、その体積が小さく、振動に耐え、量産に適合することから、ＬＥＤは情報通信及び消費性電子製品の指示ランプと表示装置に使用されるようになり、例えば、携帯電話及びＰＤＡスクリーンのバックライト、各種の屋外ディスプレイ、交通信号標識及び車のランプ等に一般に使用されている。
【０００５】
テクノロジーの発展により、ＬＥＤモジュールが周知の白熱電球或いは蛍光灯管の代わりに発光光源として使用された照明装置が発展し、すなわち、ＬＥＤの特性により、照明装置における、白熱電球或いは蛍光灯管を発光光源として使用した場合の問題を有効に改善している。
しかし、ある特殊な場合の応用、例えば、街灯、室外の照明設備などにおいては、上述の照明設備が必要とする照度はさらにアップさせる必要があり、既存のＬＥＤモジュールの提供する照度は上述の照明設備の必要とする照度の要求を達成できず、上述の照明設備の照度不足の問題を改善する設計が必要である。
【考案の概要】
【考案が解決しようとする課題】
【０００６】
総合すると、周知の技術には、既存のＬＥＤモジュールの提供する照度が、屋外ＬＥＤ照明設備への応用には不足するとの問題を有しており、このため改善した技術手段によりこの問題を解決することが必要である。
【課題を解決するための手段】
【０００７】
従来の技術に存在する既存のＬＥＤモジュールの提供する照度は、屋外ＬＥＤ照明設備への応用には不足するとの問題を解決するため、本考案は一種のスポットライト用ＬＥＤ照明装置を提供する。
【０００８】
本考案のスポットライト用ＬＥＤ照明装置は、第１座体、少なくとも一組の第１固定部品、少なくとも一組のＬＥＤモジュール、及び第２座体を包含する。
【０００９】
そのうち、該第１座体は外部装置に固定され、それは少なくとも一組の第１固定部を有し、少なくとも一組の第１固定部品は該第１座体の第１固定部に固定され、且つ二つの対向する傾斜面を有する。各ＬＥＤモジュールは、二つのＬＥＤランプを有し、各ＬＥＤランプは第１端と第２端を有し、該二つのＬＥＤランプの第１端は該第１固定部品の二つの傾斜面に設置される。該第２座体に少なくとも一組の第２固定部が設けられて該ＬＥＤモジュールの二つのＬＥＤランプの第２端を固定するのに用いられる。
【００１０】
該少なくとも一組の第１固定部品は該第１座体の第１固定部に固定されるほか、該第１座体と該少なくとも一組の第１固定部品は一体成形により形成可能であり、並びに該スポットライト用ＬＥＤ照明装置は少なくとも一組の第２固定部品を包含し、それは該第２座体の第２固定部に固定され、且つ二つの互いに向けて傾斜するように配置された傾斜面を有し、該ＬＥＤモジュールの二つのＬＥＤランプの第２端は該第２固定部品の二つの傾斜面にそれぞれ設置され、並びに該少なくとも一組の第２固定部品が該第２座体の第２固定部に固定されるほか、該第２座体と該少なくとも一組の第２固定部品は一体成形により形成され得る。
【００１１】
このほか、本考案のスポットライト用ＬＥＤ照明装置は該第１座体に形成された連接部品を包含し、該連接部は該外部装置への固定に用いられ、且つ該連接部は貫通孔を有し、該ＬＥＤモジュールは該貫通孔により該外部装置と電気的接続を形成する。
【００１２】
該スポットライト用ＬＥＤ照明装置はさらに一組のケースを包含し、それは該第１座体と該第２座体に固定され、該ＬＥＤモジュールを被覆し、且つ該ケースに複数の放熱孔が設けられ、該少なくとも一組のＬＥＤモジュールの発生する熱エネルギーを自然対流の方式で散逸させ、且つ該一組のケースは左右のケースで構成される。
【００１３】
本考案のスポットライト用ＬＥＤ照明装置と、周知の技術との間の差異は、本考案は少なくとも一組のＬＥＤモジュールの第１端と第２端がそれぞれ第１座体の少なくとも一組のの第１固定部と第２座体の少なくとも一組の第２固定部に固定され、これにより、該少なくとも一組のＬＥＤモジュールが互いに向けて傾斜するように配置され、これにより少なくとも一組のＬＥＤモジュールの二つのＬＥＤランプの発射する光線が集光の効果を形成し、これにより、スポットライト用ＬＥＤ照明装置の照度をアップする効果を達成する。
【考案の効果】
【００１４】
上述の技術手段により、本考案は有効にスポットライト用ＬＥＤ照明装置の照度をアップする効果を達成する。
【図面の簡単な説明】
【００１５】
【図１】本考案のスポットライト用ＬＥＤ照明装置の立体分解図である。
【図２】本考案のスポットライト用ＬＥＤ照明装置の立体組み合わせ図である。
【図３Ａ】本考案のスポットライト用ＬＥＤ照明装置の第１座体の第１実施態様の正面図である。
【図３Ｂ】本考案のスポットライト用ＬＥＤ照明装置の第１座体の第２実施態様の正面図である。
【図４】本考案のスポットライト用ＬＥＤ照明装置の照明範囲表示図である。
【図５】本考案のスポットライト用ＬＥＤ照明装置の付加部品の立体分解図である。
【図６Ａ】本考案のスポットライト用ＬＥＤ照明装置の第１実施態様の正面図である。
【図６Ｂ】本考案のスポットライト用ＬＥＤ照明装置の第２実施態様の正面図である。
【図７】本考案のスポットライト用ＬＥＤ照明装置１００の立体組み合わせ図である。
【考案を実施するための形態】
【００１６】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１７】
本考案のスポットライト用ＬＥＤ照明装置１００は、第１座体１０、少なくとも一組の第１固定部品２０、少なくとも一組のＬＥＤモジュール３０、及び第２座体４０で構成される。
【００１８】
そのうち、該第１座体１０は外部装置（図示せず）に固定され、それは少なくとも一組の第１固定部１１を有し、該第１座体１０の少なくとも一組の第１固定部１１は少なくとも一組の第１固定部品２０に固定され、すなわち少なくとも一組の第１固定部品２０は第１座体１０の第１固定部１１に固定され、並びに少なくとも一組の第１固定部品２０は二つの互いに向けて傾斜するように配置された傾斜面２１を有し、図面には二組の第１固定部１１及び二組の第１固定部品２０を以て示されているが、本考案の応用範囲は図示された内容に限定されるわけではない。
【００１９】
つづいて、図面には、二組のＬＥＤモジュール３０が示されているが、本考案の応用範囲は図示された内容に限定されるわけではなく、且つ各組のＬＥＤモジュール３０に二つのＬＥＤランプ３１が設けられ、各ＬＥＤランプ３１に第１端３１１と第２端３１２が設けられ、二つのＬＥＤランプ３１の第１端３１１がそれぞれ第１固定部品２０の二つの傾斜面２１に設置され、これにより、各ＬＥＤモジュール３０の二つのＬＥＤランプ３１が互いに向けて傾斜するように配置される。そのうち、少なくとも一組のＬＥＤモジュール３０中、各ＬＥＤランプ３１に複数の放熱器３１３が設けられ、各ＬＥＤランプ３１の放熱に用いられ、各ＬＥＤランプ３１はＬＥＤを光源とする。
【００２０】
第２座体４０には少なくとも一組の第２固定部（図示せず）が設けられて、ＬＥＤモジュール３０の二つのＬＥＤランプ３１の第２端３１２が固定される。上述の少なくとも一組のＬＥＤモジュール３０の二つのＬＥＤランプ３１の第１端３１１の、それぞれ少なくとも一組の第１固定部品２０の傾斜面２１への固定、少なくとも一組の第１固定部品２０の第１座体１０の第１固定部１１への固定、少なくとも一組のＬＥＤモジュール３０の二つのＬＥＤランプ３１の第２端３１２の第２座体４０の第２固定部への固定の方式は、図面では螺合方式で実施されているが、嵌合、係合或いはスライドレールの方式で、少なくとも一組のＬＥＤモジュール３０の二つのＬＥＤランプ３１の第１端３１１が少なくとも一組の第１固定部品２０の傾斜面２１に固定され、且つ少なくとも一組の第１固定部品２０が第１座体１０の第１固定部１１に固定され、及び少なくとも一組のＬＥＤモジュール３０の二つのＬＥＤランプ３１の第２端３１２が第２座体４０の第２固定部に固定されてもよく、上述の固定方式は本考案の応用範囲を限定するものではなく、既存の固定技術はいずれも本考案の範囲に属する。
【００２１】
少なくとも一組のＬＥＤモジュール３０の二つのＬＥＤランプ３１の第１端３１１はそれぞれ少なくとも一組の第１固定部品２０の傾斜面２１に固定され、さらに少なくとも一組の第１固定部品２０がそれぞれ第１座体１０の第１固定部１１に固定され、これにより、少なくとも一組のＬＥＤモジュール３０の二つのＬＥＤランプ３１が互いに向けて傾斜するように配置され、すなわち、少なくとも一組のＬＥＤモジュール３０のＬＥＤランプ３１の発射する光線が集光の効果を形成し、これにより、有効にスポットライト用ＬＥＤ照明装置１００の照度をアップできる。
【００２２】
上述の第１座体１０、少なくとも一組の第１固定部品２０、少なくとも一組のＬＥＤモジュール３０及び第２座体４０が組み合わされた後に、スポットライト用ＬＥＤ照明装置１００を形成し、該スポットライト用ＬＥＤ照明装置１００は図２に示されるとおりであり、図２は本考案のスポットライト用ＬＥＤ照明装置の立体組み合わせ図である。
【００２３】
つづいて、図３Ａと図３Ｂを参照されたい。図３Ａは本考案のスポットライト用ＬＥＤ照明装置の第１座体の第１実施態様の正面図であり、図３Ｂは本考案のスポットライト用ＬＥＤ照明装置の第１座体の第２実施態様の正面図である。
【００２４】
図３Ａでは、第１座体１０の少なくとも一組の第１固定部１１は第１固定部品２０に固定され、並びに第１座体１０の第１固定部１１に固定された少なくとも一組の第１固定部品２０は、それぞれ傾斜面２１を有し、並びに少なくとも一組の第１固定部品２０の二つの傾斜面２１が互いに向けて傾斜するように配置されている。
【００２５】
少なくとも一組のＬＥＤモジュール３０（図１参照）の二つのＬＥＤランプ３１（図１参照）の第１端３１１は第１座体１０の少なくとも一組の第１固定部１１に固定された少なくとも一組の第１固定部品２０の傾斜面２１に固定され、少なくとも一組の第１固定部品２０の二つの傾斜面２１は対向するように配置され、少なくとも一組のＬＥＤモジュール３０の二つのＬＥＤランプ３１が互いに向けて傾斜するように配置され、これにより、少なくとも一組のＬＥＤモジュール３０の二つのＬＥＤランプ３１の発射する光線が集光の効果を形成し、これによりスポットライト用ＬＥＤ照明装置１００の照度を効果的にアップする。
【００２６】
図３Ｂによると、第２実施態様において、第１座体１０の少なくとも一組の第１固定部１１の位置に、一体成形の方式で少なくとも一組の第１固定部品２０が形成され、すなわち第１座体１０と少なくとも一組の第１固定部品２０が一体成形により形成され、並びに第１座体１０の少なくとも一組の第１固定部１１の位置に一体成形された少なくとも一組の第１固定部品２０はそれぞれ傾斜面２１を有し、並びに少なくとも一組の第１固定部品２０の二つの傾斜面２１は互いに対向するように配置される。
【００２７】
少なくとも一組のＬＥＤモジュール３０（図１参照）の二つのＬＥＤランプ３１（図１参照）の第１端３１１は第１座体１０の少なくとも一組の第１固定部１１に固定された少なくとも一組の第１固定部品２０の傾斜面２１に固定され、少なくとも一組の第１固定部品２０の二つの傾斜面２１は対向するように配置され、少なくとも一組のＬＥＤモジュール３０の二つのＬＥＤランプ３１が互いに向けて傾斜するように配置され、これにより、少なくとも一組のＬＥＤモジュール３０の二つのＬＥＤランプ３１の発射する光線が集光の効果を形成し、これによりスポットライト用ＬＥＤ照明装置１００の照度を効果的にアップする。
【００２８】
上述の少なくとも一組のＬＥＤモジュール３０の二つのＬＥＤランプ３１の第１端３１１が、第１座体１０の少なくとも一組の第１固定部１１に固定された少なくとも一組の第１固定部品２０の傾斜面２１への固定の、上述の二種類の実施態様は本考案の応用範囲を限定するものではなく、少なくとも一組のＬＥＤモジュール３０の二つのＬＥＤランプ３１の第１端３１１を第１座体１０の少なくとも一組の第１固定部１１上の少なくとも一組の第１固定部品２０の傾斜面２１に固定でき、少なくとも一組のＬＥＤモジュール３０の二つのＬＥＤランプ３１を互いに向けて傾斜するように配置できる固定方式であれば、いずれも本考案の範囲内に属する。
【００２９】
つづいて、図４を参照されたい。図４は本考案のスポットライト用ＬＥＤ照明装置の照明範囲表示図である。少なくとも一組のＬＥＤモジュール３０の二つのＬＥＤランプ３１の第１端３１１は第１座体１０の少なくとも一組の第１固定部１１に固定された少なくとも一組の第１固定部品２０により固定され（図１）、並びに少なくとも一組のＬＥＤモジュール３０の二つのＬＥＤランプ３１は互いに向けて傾斜するように配置され、図示されるようであり、図中、点線部分でカバーされるエリアは少なくとも一組のＬＥＤモジュール３０の二つのＬＥＤランプ３１の照明範囲３２とされ、すなわち少なくとも一組のＬＥＤモジュール３０の二つのＬＥＤランプ３１の照明範囲３２の重畳する範囲は２倍の照射効果を受け、すなわち、少なくとも一組のＬＥＤモジュール３０の二つのＬＥＤランプ３１の発射する光線が集光の効果を形成し、これにより、有効にスポットライト用ＬＥＤ照明装置１００の照度をアップする効果を達成する。
【００３０】
つづいて、図５を参照されたい。図５は本考案のスポットライト用ＬＥＤ照明装置の付加部品の立体分解図である。スポットライト用ＬＥＤ照明装置１００はさらに少なくとも一組の第２固定部品５０及び一組のケース６０を包含する。スポットライト用ＬＥＤ照明装置１００の包含する少なくとも一組の第２固定部品５０については、図６Ａ及び図６Ｂも参照されたい。図６Ａは本考案のスポットライト用ＬＥＤ照明装置の第１実施態様の正面図であり、図６Ｂは本考案のスポットライト用ＬＥＤ照明装置の第２実施態様の正面図である。
【００３１】
図面には二組の第２固定部品５０が示されているが、本考案の応用範囲は図示された内容に限定されるわけではなく、少なくとも一組の第２固定部品５０は第２座体４０の第２固定部４１上に固定され、且つ二つの対向するよう配置された傾斜面５１を有し、ＬＥＤモジュール３０の二つのＬＥＤランプ３１の第２端３１２はそれぞれ第２固定部品５０の二つの傾斜面５１に設置されるか（この実施態様については図６Ａを参照されたい）、或いは、第２座体４０の少なくとも一組の第２固定部４１の位置に、一体成形の方式で少なくとも一組の第２固定部品５０が形成され、すなわち該第２座体４０と該少なくとも一組の第２固定部品５０が一体成形で形成される（この実施態様については図６ＡＢ参照されたい）。
【００３２】
上述の詳細な実施過程は、第１座体１０の関係説明を参照されたい（すなわち上述の図３Ａと図３Ｂに示される）。並びにここでは二種類の実施態様のみ例示しているが、本考案の応用範囲はこれに限定されるわけではなく、少なくとも一組のＬＥＤモジュール３０の二つのＬＥＤランプ３１の第２端３１２を第２座体４０の少なくとも一組の第２固定部４１上の少なくとも一組の第２固定部品５０の傾斜面５１に固定できる固定方式であれば、いずれも本考案内に属する。
【００３３】
スポットライト用ＬＥＤ照明装置１００はさらに一組のケース６０を包含し、ケース６０はそれぞれ第１座体１０と第２座体４０に固定されて、ＬＥＤモジュール３０を被覆し、これによりＬＥＤモジュール３０を保護する効果を達成する。
【００３４】
ケース６０は図面では左ケース６１と右ケース６２で構成されているが、本考案の応用範囲は図示された内容に限定されるわけではなく、スポットライト用ＬＥＤ照明装置１００はさらに一体成形されたケース（図示せず）を包含してもよく、ケースはそれぞれ第１座体１０と第２座体４０に固定され、これによりＬＥＤモジュール３０保護の効果を達成する。
【００３５】
このほか、ケース６０は図面では螺合方式で固定されているが、嵌合、係合或いはスライドレールの方式でケース６０を第１座体１０と第２座体４０に固定することも可能であり、本考案の応用範囲は上述の固定方式に限定されず、既存の固定方式はいずれも本考案の範囲に属する。
【００３６】
このほか、ケース６０にさらに複数の放熱孔６３が形成され、ケース６０に形成された複数の放熱孔６３は少なくとも一組のＬＥＤモジュール３０の二つのＬＥＤランプ３１の発生する熱エネルギーを自然対流の方式で散逸させるのに用いられる。
【００３７】
スポットライト用ＬＥＤ照明装置１００の第１座体１０にさらに連接部１２が形成され、該第１座体１０に形成された連接部１２は外部装置（図示せず）に固定するのに用いられ、且つ第１座体１０の連接部１２には貫通孔が設けられ、第１座体１０の少なくとも一組の第１固定部１１上の少なくとも一組の第１固定部品２０に固定される少なくとも一組のＬＥＤモジュール３０の二つのＬＥＤランプ３１は第１座体１０の連接部１２により外部装置と電気的接続を形成し、これにより、少なくとも一組のＬＥＤモジュール３０の二つのＬＥＤランプ３１の電源を提供する。
【００３８】
第１座体１０の連接部１２は図面では螺合方式で外部装置と固定されるが、嵌合、係合或いはスライドレールの方式で、スポットライト用ＬＥＤ照明装置１００を外部装置に固定してもよく、以上は例に過ぎず、並びに上述の固定方式に本考案の応用範囲が限定されるわけではなく、既存の固定技術はいずれも本考案の範囲に属する。
【００３９】
上述の第１座体１０、少なくとも一組の第１固定部品２０、少なくとも一組のＬＥＤモジュール３０、第２座体４０、少なくとも一組の第２固定部品５０及び一組のケース６０が組み合わされた後、スポットライト用ＬＥＤ照明装置１００が形成され、該スポットライト用ＬＥＤ照明装置１００は図７に示されるようであり、図７は本考案のスポットライト用ＬＥＤ照明装置１００の立体組み合わせ図である。
【００４０】
総合すると、本考案のスポットライト用ＬＥＤ照明装置と、周知の技術との間の差異は、本考案は少なくとも一組のＬＥＤモジュールの第１端と第２端がそれぞれ第１座体の少なくとも一組のの第１固定部と第２座体の少なくとも一組の第２固定部に固定され、これにより、該少なくとも一組のＬＥＤモジュールが互いに向けて傾斜するように配置され、これにより少なくとも一組のＬＥＤモジュールの二つのＬＥＤランプの発射する光線が集光の効果を形成し、これにより、スポットライト用ＬＥＤ照明装置の照度をアップする効果を達成する。
【００４１】
この技術手段により、本考案は従来の技術に存在する既存のＬＥＤモジュールの提供する照度は、屋外ＬＥＤ照明設備への応用には不足するとの問題を解決し、有効にスポットライト用ＬＥＤ照明装置の照度をアップする効果を達成している。
【００４２】
本考案は前述の実施例を以て開示されたが、それは本考案を限定するためのものではなく、この技術に通じた者が、本考案の精神と範囲内においてなし得る変更或いは修飾は、いずれも本考案の権利請求の範囲に属するものとする。
【符号の説明】
【００４３】
１００  スポットライト用ＬＥＤ照明装置
１０  第１座体
１１  第１固定部
１２  連接部
２０  第１固定部品
２１  傾斜面
３０  ＬＥＤモジュール
３１  ＬＥＤランプ
３１１  第１端
３１２  第２端
３１３  放熱器
３２  照明範囲
４０  第２座体
４１  第２固定部
５０  第２固定部品
５１  傾斜面
６０  ケース
６１  左ケース
６２  右ケース
６３  放熱孔
【図１】
0003157521.tif 000003
【図２】
0003157521.tif 000004
【図３Ａ】
0003157521.tif 000005
【図３Ｂ】
0003157521.tif 000006
【図４】
0003157521.tif 000007
【図５】
0003157521.tif 000008
【図６Ａ】
0003157521.tif 000009
【図６Ｂ】
0003157521.tif 000010
【図７】
0003157521.tif 000011